(57)【要約】【目的】  操作し易く水圧マッサージ機の配置をし易い操作パネル可動式水圧マッサージ機を提供することにある。【構成】  水圧マッサージ機１において、該水圧マッサージ機１を操作する操作パネル９が水圧マッサージ機１の所定位置に取り付けられており、該操作パネル９の取り付け位置又は向きは変えられ、水圧マッサージ機１の本体フレーム１０の上に上板１５が着脱可能に取り付けられ、該上板１５に操作パネル９が取り付けられており、上板１５と操作パネル９を共に、本体フレーム１０から離脱し、本体フレーム１０に対して１８０度回転させて取り付け、操作パネル９の向きを変更できる操作パネル可動式水圧マッサージ機である。  【選択図】      図１
2005065850.tif 000002
【特許請求の範囲】
【請求項１】
水圧マッサージ機（１）において、該水圧マッサージ機（１）を操作する操作パネル（９）が水圧マッサージ機（１）の所定位置に取り付けられており、該操作パネル（９）の取り付け位置又は向きは変えられることを特徴とする操作パネル可動式水圧マッサージ機。
【請求項２】
水圧マッサージ機（１）の本体フレーム（１０）に操作パネル（９）が取り付けられており、操作パネル（９）を本体フレーム（１０）から離脱し、本体フレーム（１０）に対して１８０度回転させて再取着することによって、操作パネル（９）の向きを変更できることを特徴とする請求項１記載の操作パネル可動式水圧マッサージ機。
【請求項３】
水圧マッサージ機（１）の本体フレーム（１０）に操作パネル（９）が取り付けられており、操作パネル（９）を、その取り付け位置で回動・固定させることによって、内向き又は外向きに変更できることを特徴とする請求項１記載の操作パネル可動式水圧マッサージ機。
【請求項４】
操作パネル（９）は、水圧マッサージ機（１）のフレーム前壁（３２）に支柱（１８）及び取着具（２９）を介して着脱可能に取着されており、操作パネル（９）は、フレーム後壁（３３）、フレーム左壁（３４）又はフレーム右壁（３５）にも変更取り付けできることを特徴とする請求項１記載の操作パネル可動式水圧マッサージ機。
【請求項５】
水圧マッサージ機（１）の上面縁にあって該水圧マッサージ機（１）の長手方向に移乗用の手摺り（３８）が取り付けられ、該手摺り（３８）に操作パネル（９）が、位置及び向きを変更可能に取り付けられることを特徴とする請求項１記載の操作パネル可動式水圧マッサージ機。
【発明の詳細な説明】
【技術分野】
【０００１】
本発明は、臥姿勢の人体の頚部、体幹及び下肢を、噴流水圧によりマッサージする操作パネル可動式水圧マッサージ機に関する。
【背景技術】
【０００２】
従来の技術として挙げた下記特許文献には、ベッド本体と噴射装置からなるマッサージ装置において、ベッド本体に面一に設けたコントローラーが備わることを特徴とするマッサージ装置が開示されている。
【特許文献１】特開平１１−２５３５１７号
【発明の開示】
【発明が解決しようとする課題】
【０００３】
前記特許文献に開示されたマッサージ装置では、コントローラーがベッド本体に面一に設けられているので、マッサージ装置への乗り降りの際に邪魔にならないという効果がある。しかし、上記マッサージ装置には、コントローラーの取り付け位置を変更する構成は開示されておらず、コントローラーの位置を、操作し易い好適位置に変更するということは出来ないものであった。
【０００４】
本発明の目的は、操作し易く水圧マッサージ機の配置を案内レイアウトに制限されることなく行い易い操作パネル可動式水圧マッサージ機を提供することにある。
【課題を解決するための手段】
【０００５】
本発明は、水圧マッサージ機（１）において、該水圧マッサージ機（１）を操作する操作パネル（９）が水圧マッサージ機（１）の所定位置に取り付けられており、該操作パネル（９）の取り付け位置又は向きは変えられることを特徴とする操作パネル可動式水圧マッサージ機である。
又、水圧マッサージ機（１）の本体フレーム（１０）に操作パネル（９）が取り付けられており、操作パネル（９）を本体フレーム（１０）から離脱し、本体フレーム（１０）に対して１８０度回転させて再取着することによって、操作パネル（９）の向きを変更できる。
更に、水圧マッサージ機（１）の本体フレーム（１０）に操作パネル（９）が取り付けられており、操作パネル（９）を、その取り付け位置で回動・固定させることによって、内向き又は外向きに変更できる。
更に又、操作パネル（９）は、水圧マッサージ機（１）のフレーム前壁（３２）に支柱（１８）及び取着具（２９）を介して着脱可能に取着されており、操作パネル（９）は、フレーム後壁（３３）、フレーム左壁（３４）又はフレーム右壁（３５）にも変更取り付けできる。
又、水圧マッサージ機（１）の上面縁にあって該水圧マッサージ機（１）の長手方向に移乗用の手摺り（３８）が取り付けられ、該手摺り（３８）に操作パネル（９）が、位置及び向きを変更可能に取り付けられる。
【発明の効果】
【０００６】
本発明は、水圧マッサージ機１において、該水圧マッサージ機１を操作する操作パネル９が水圧マッサージ機１の所定位置に取り付けられており、該操作パネル９の取り付け位置又は向きは変えられるものである。この構成によれば、部屋の設置レイアウトに制限されることなく自在に、及び患者の向きにも制限されることなく自在に水圧マッサージ機１を設置しその後で操作パネル９を使い易い位置に移動させれば良いから、水圧マッサージ機１を部屋の設置レイアウト及び患者の向きに制限されることなく好適に設置でき、更に、操作パネル９の変更取り付け作業が容易であり、好都合である。
【０００７】
本発明に係る水圧マッサージ機１の本体フレーム１０に操作パネル９が取り付けられており、操作パネル９を本体フレーム１０から離脱し、本体フレーム１０に対して１８０度回転し向きを変更して取り付けできる。水圧マッサージ機１の左側面の空気穴２１に係る放熱作用を良好に機能させるように水圧マッサージ機１を設置するが、設置した時操作パネル９が使い難い位置となった場合、操作パネル９を使い易い位置に移動させるがその際、該操作パネル９の移動作業は、上板１５を本体フレーム１０から外し１８０度回転し再度本体フレーム１０に取着するという作業で容易に行なえ、好都合である。
【０００８】
本発明に係る水圧マッサージ機１の本体フレーム１０に操作パネル９が取り付けられており、操作パネル９を、その取り付け位置で回動・固定させることによって、内向き又は外向きに変更できるから、操作パネル９の変更操作がノブボルト２８の緩締操作及び支柱１８上で回動させる操作だけで容易に行なえ、使い易く設定できる。例えば、操作パネル９の表面９ａが壁面に向かって（＝外向き）接近していても、操作パネル９を水圧マッサージ機１に向く（＝内向き）ように容易に変更・固定でき、好都合である。
【０００９】
本発明に係る操作パネル９は、水圧マッサージ機１のフレーム前壁３２に支柱１８を介して着脱可能に取着されており、操作パネル９の取り付け位置を、フレーム後壁・左壁・右壁３３・３４・３５に変更取り付けできるものであるから、操作パネル９が操作し難い位置にあった場合には、操作パネル９をフレーム前壁３２からフレーム後壁・左壁・右壁３３・３４・３５のいずれかへ、容易に付け替えし、使い易いようにでき、好都合である。
【００１０】
本発明に係る水圧マッサージ機１にはその上面縁にあって水圧マッサージ機１の長手方向に移乗用の手摺り３８が取り付けられ、該手摺り３８に操作パネル９が、位置及び向きを変更可能に取り付けられるから、操作パネル９の位置変更作業が、手摺り３８上を摺動し固定するだけの容易な操作で行なえ、又は、操作パネル９を手摺り３８から脱着するだけの容易な操作で行なえ、使い易いように取着でき、好都合である。
【発明を実施するための最良の形態】
【００１１】
本発明に係る水圧マッサージ機１を使用して、人に水圧によるマッサージを施す。水圧マッサージ機１には該水圧マッサージ機１を操作する操作パネル９が所定位置に取り付けられる。操作パネル９の取り付け位置又は向きは容易な作業で変更出来る。
【００１２】
水圧マッサージ機１の本体フレーム１０の上に上板１５が取り付けられ、該上板１５に操作パネル９が取り付けられる。
【００１３】
操作パネル９は、上板１５と共に本体フレーム１０から離脱できる。離脱した操作パネル９と上板１５を共に本体フレーム１０に対して１８０度回転させ、回転後、再度本体フレーム１０に取り付けし、操作パネル９の位置を変更できる。操作パネル９及び上板１５の、本体フレーム１０からの脱着は容易な作業で行なえ、操作パネル９の位置及び向きを変更することは容易である。
【００１４】
操作パネル９の表面９ａを、その取り付け位置で、内向き（＝表面９ａが水圧マッサージ機１へ向く）又は外向き（＝表面９ａが水圧マッサージ機１と反対の方に向き、裏面９ｂが水圧マッサージ機１へ向く）に、支柱１８上を回転させることによって容易に変更・固定できる。
【００１５】
操作パネル９は、水圧マッサージ機１のフレーム前壁３２に支柱１８を介して着脱可能に取着される。操作パネル９を、フレーム後壁３３、フレーム左壁３４又はフレーム右壁３５に変更取り付けできる。
【００１６】
本体フレーム１０には、予め取着具２９がフレーム前壁３２に設けられている。操作し難い場合には操作パネル９を支柱１８と共に前側壁から外し、後・左・右側壁の何れかの好適な側壁に取り付け操作をし易くする。前記取り付けに係る作業は容易である。
【００１７】
水圧マッサージ機１の上面縁にあって該水圧マッサージ機１の長手方向に移乗用の手摺り３８が取り付けられる。該手摺り３８に操作パネル９が、位置及び向きを変更可能に取り付けられる。操作パネル９のノブボルト２８を緩め、手摺り３８上を移動し、移動後ノブボルト２８を締め付け固定し、操作パネル９の取り付け位置を変更・固定できる。
【実施例１】
【００１８】
図１に示すように水圧マッサージ機１は、本体フレーム部２と、槽３と、ノズル機構４と、移動機構５と、循環ポンプ６と、配管部材７と、冷却装置８と、操作パネル９からなる。
【００１９】
本体フレーム部２は、本体フレーム１０と、前・後・左・右カバー１１・１２・１３・１４と、上板１５と、可撓シート１６とからなる。上板１５は本体フレーム１０に離脱可能に取着される。
【００２０】
操作パネル９は、水圧マッサージ機１を操作するものであり、上板１５に設けられる取付筒１７と、取付筒１７に貫通される支柱１８とで、水圧マッサージ機１の上方位置に支持される。
【００２１】
操作パネル９の取り付け位置は変更可能であり、納入設置時に、例えば部屋の壁の存在によって操作しにくい場合には操作パネル９を水圧マッサージ機１の好適位置に変更取着できる。更に、操作パネル９の表面９ａの向きを変えることも出来る。
即ち、操作パネル９は上板１５と共に本体フレーム１０から離脱し、操作パネル９及び上板１５を１８０度回転し、回転後、再度本体フレーム１０に取着する。
【００２２】
操作パネル９の裏面９ｂに支柱１８が回動可能に取着される。通常は、操作パネル９は水圧マッサージ機１の外の方向に、表面９ａに記載の数値及び文字が向く（＝外向き）ように取着されている。
【００２３】
操作パネル９の裏面９ｂと支柱１８の取着位置で、操作パネル９は回転させることでき、外向きから、水圧マッサージ機１の内の方向に、表面９ａに記載の数値及び文字が向く（＝内向き）ように変更できる。
【００２４】
冷却装置８は、ラジエター１９と、ファン２０とからなる。左カバー１３には冷却用の空気が通過するための空気穴２１が開口される。
【００２５】
ノズル機構４は、ノズル２２と、台車２３と、車輪２４とからなる。
移動機構５は、台車２３を移動させるものであり、台車２３の雌ネジ（図示省略）で係止されるネジシャフト２５と、槽３外に設置される移動モーター２６とからなる。 
尚、図示を省略するが、操作パネル９をリモートコントロールボックス式とし、水圧マッサージ機１の上縁にリモートコントロールボックスを置くためのリモートコントロールボックストレイを設置してもよい。リモートコントロールボックスと本体フレーム部２とはコードで繋ぐか、或いは無線式としてもよい。
【００２６】
実施例１の水圧マッサージ機１を室内に納入・設置する際、ラジエター１９で熱交換した空気を排出する空気穴２１が部屋の壁面に接近しないように配置する。その配置をした時に、操作パネル９が操作し難い位置になった場合、又は患者の向きが良好でない位置になった場合には操作パネル９の位置及び向きを変更する。
【００２７】
操作パネル９の位置を水圧マッサージ機１の前部から後部に変更するには、上板１５を止めているネジ２７を外し、続いて、本体フレーム１０から上板１５及び操作パネル９を外す。
【００２８】
次に、上板１５と共に操作パネル９を１８０度回転し、上板１５及び操作パネル９を水圧マッサージ機１の後部へ載せ、ネジ２７で、再度、本体フレーム１０へ止める。図１では、紙面の右側の操作パネル９を紙面の左側へ変更する。このようにして操作パネル９の位置及び向きを変更する
【００２９】
通常は、操作パネル９は水圧マッサージ機１から外向き設けられており、操作者は、水圧マッサージ機１に向かって操作する。
操作パネル９の向きを変更するには、ノブボルト２８を緩め、操作パネル９を、支柱１８を中心にして回転させ、操作パネル９を外向きから内向きに変更し、変更後ノブボルト２８を締め、操作パネル９を固定する。
【００３０】
逆に、操作パネル９を内向きから外向きに変更するには、前述の場合と同様に、ノブボルト２８を緩め、操作パネル９を、支柱１８を中心にして逆回転させ、操作パネル９の向きを内向きから外向きに変更し、変更後ノブボルト２８を締め、操作パネル９を固定する。
図１中、４７は温度センサーである。
【実施例２】
【００３１】
図３に示す実施例２は、実施例１の操作パネル９の取り付け位置を、上板１５から前カバー１１に代えたものである。
実施例２に係る操作パネル９は、支柱１８と、取着具２９とで支持される。操作パネル９の裏面９ｂには、取付片３０が突設され、支柱１８の頂部に取付片３０がノブボルト２８で回動可能に螺着される。
【００３２】
支柱１８の基部は取付具２９の穴３１に回動可能に嵌入し、ノブボルト２８で螺着される。
水圧マッサージ機１の前部に設けられた操作パネル９の位置を後部へ変更する時は、長ネジ３７を緩め、本体フレーム１０及び前カバー１１から取着具２９を外す。
【００３３】
取着具２９を後カバー１２にあてがう。長ネジ３７を、後カバー１２を貫通させフレーム後壁３３へ螺着し、取着具２９を、フレーム後壁３３に取着する。このようにして操作パネル９を水圧マッサージ機１の後部に取り付けられる。
【００３４】
前・後・左・右カバー１１・１２・１３・１４に設けられた長ネジ３７が貫通する穴４９において、長ネジ３７が貫通されていない穴４９には、盲蓋３６が取り付けられている。
【００３５】
水圧マッサージ機１の前部に設けられた操作パネル９の位置を左部又は右部へ変更する時は、長ネジ３７を緩め、前カバー１１から取着具２９を離脱する。フレーム左壁３４又はフレーム右壁３５のいずれかを選んでその壁に係る左カバー１３又は右カバー１４に、取着具２９を貫通させた長ネジ３７を更に貫通させ、本体フレーム１０へ螺着する。このようにして取着具２７を、フレーム左壁３４又はフレーム右壁３５のいずれかに固定する。
【実施例３】
【００３６】
図４に示す実施例３は、実施例１において上板１５の前部中央位置に有った操作パネル９が前部右位置に変更して設けられる。
【００３７】
実施例３は、水圧マッサージ機１の前部右位置における上板１５に、支柱１８が立設され、支柱１８の頂部に操作パネル９が設けられる。操作パネル９は支柱１８を中心に回転・固定が可能である。
操作パネル９の表面９ａの向きを外向きから内向きに変更することが容易にでき、逆に、内向きから外向きにも容易に変更・固定できる。
【実施例４】
【００３８】
図５に示す実施例４は、実施例１の水圧マッサージ機１の前部中央に設けた操作パネル９を、本体フレーム部２の右側縁に取着した門形の手摺り３８に設けたものである。
【００３９】
実施例４に係る手摺り３８には前部手摺り３８ａと後部手摺り３８ｂがある。操作パネル９は前部手摺り３８ａに設けられる。
操作パネル９は、手摺り３８上を前後方向に摺動・固定できるものであるから、その取り付け位置を適宜調節できる。
【００４０】
図６に示すように操作パネル９の裏面９ｂに取着された固定具３９を操作パネル９から脱着して、操作パネル９を後部手摺り３８ｂに付けることも可能であり、又、操作パネル９を外向きから内向きに変更することも可能である。
【実施例５】
【００４１】
図７に示す実施例５は、実施例２の取付具２９を逆Ｌ字形の取付台４０に代え、支柱１８を伸縮支柱４１に代えたものである。
水圧マッサージ機１の前カバー１１に取着された取付台４０は、フレーム後壁・左壁・右壁３３・３４・３５に取り付け変更できる。取付台４０の上に伸縮支柱１８が立設される。
【００４２】
ハンドナット４２を緩め、外支柱４８に内嵌される内支柱４３を上下に移動調節し、ハンドナット４２を締め、伸縮支柱４１を適宜な長さに調節し、操作パネル９の高さを調節する。
内支柱４３は適宜に回動・固定でき、内支柱４３の回動で操作パネル９の向きを変更することができる。ノブボルト２８の緩締調節によって操作パネル９の表面９ａの傾斜角度を調節できる。
【実施例６】
【００４３】
図８に示す実施例６は、実施例５の取付台４０を、貫通取付台４５に代えたものである。
実施例６の貫通取付台４５はボルト４４で前カバー１１へ取着される。
実施例６の支柱１８は、ノブボルト２８を緩めれば、上下の移動及び回動を行なえ、ノブボルト２８を締めて適宜位置に固定する。支柱１８の位置調節によって操作パネル９の高さは調節できる。
【実施例７】
【００４４】
図９に示す実施例７は、実施例１において支柱１８で支持した操作パネル９を、上板１５に直に取り付けたものに代えている。
実施例７では、操作パネル９の厚み部分は上板１５に埋め込まれる。水圧マッサージ機１の前上部に設けられた操作パネル９を、水圧マッサージ機１の後・左・右部における上板１５に変更取着することが出来、又、前・後・左・右カバー１１・１２・１３・１４に、操作パネル９の表面９ａを面一にして取付けることもできる。
【００４５】
上板１５及び前・後・左・右カバー１１・１２・１３・１４において操作パネル９が取り付けられていない部位には盲カバー４６が嵌められており、操作パネル９を取り付ける時には、該盲カバー４６を外しその跡位置に操作パネル９を取り付ける。
【産業上の利用可能性】
【００４６】
本発明の操作パネル可動式水圧マッサージ機は、人体に水圧マッサージをもってマッサージ治療を行なう為に利用される。
【図面の簡単な説明】
【００４７】
【図１】本発明の実施例１の内部を透視した左側面図である。
【図２】本発明の実施例１の斜視図である。
【図３】本発明の実施例２の斜視図である。
【図４】本発明の実施例３の斜視図である。
【図５】本発明の実施例４の斜視図である。
【図６】本発明の実施例４の操作パネルの側面図である。
【図７】本発明の実施例５の取付台及び支柱を示す図である。
【図８】本発明の実施例６の貫通取付台及び支柱を示す図である。
【図９】本発明の実施例７の上板及び操作パネルを示す図である。
【符号の説明】
【００４８】
１    水圧マッサージ機
９    操作パネル
１０    本体フレーム
１８    支柱
２９    取着具
３２    フレーム前壁
３３    フレーム後壁
３４    フレーム左壁
３５    フレーム右壁
３８    手摺り
【図１】
2005065850.tif 000003
【図２】
2005065850.tif 000004
【図３】
2005065850.tif 000005
【図４】
2005065850.tif 000006
【図５】
2005065850.tif 000007
【図６】
2005065850.tif 000008
【図７】
2005065850.tif 000009
【図８】
2005065850.tif 000010
【図９】
2005065850.tif 000011